(57)【特許請求の範囲】
【請求項１】
一対の側縁を有する基板と、前記一対の側縁を前後方向に摺動可能に挟持する一対の挟持部を有して一対の外側縁を前記側縁の幅方向の外側に有する中間板と、前記一対の外側縁を前記前後方向に摺動可能に挟持する一対の外側挟持部を有する摺動板と、前記外側縁の前端部から前記幅方向の外側に突出して、前記摺動板の前記中間板に対する中間収納位置を規定する中間収納位置規定部と、前記外側縁の後端部から前記幅方向の外側に突出して、前記摺動板の前記中間板に対する中間使用位置を規定する中間使用位置規定部と、前記基板の前部において表裏方向の表方向に突出して、前記中間板の前記基板に対する収納位置を規定する収納位置規定手段と、前記基板の後部において前記表方向に突出して、前記中間板の前記基板に対する使用位置を規定する使用位置規定手段とを含む電子機器用スライド装置であって、
前記基板に固定される本体部と、前記摺動板に固定される副体部を含み、
前記摺動板及び前記中間板の前記本体部から露出する部分を覆い隠す被覆手段を含み、
前記被覆手段は前記基板に設けた前記前後方向に延びる切り欠き部に摺動自在に係合する係合部を含むとともに、前記被覆手段を前記前後方向の前方向に付勢する付加付勢手段を含むことを特徴とする電子機器用スライド装置。
【請求項２】
前記前後方向のうち前方向は前記使用位置から前記収納位置に向かう方向であることを特徴とする請求項１に記載の電子機器用スライド装置。
【請求項３】
前記外側挟持部の前端部が、前記中間収納位置において前記中間収納位置規定部を格納する前端格納部を含むことを特徴とする請求項２に記載の電子機器用スライド装置。
【請求項４】
前記外側挟持部の後端部が、前記中間使用位置において前記中間使用位置規定部を格納する後端格納部を含むことを特徴とする請求項３に記載の電子機器用スライド装置。
【請求項５】
前記中間板の前端部が、前記収納位置において前記収納位置規定手段を収容する前端収容部を含むことを特徴とする請求項４に記載の電子機器用スライド装置。
【請求項６】
前記中間板の後端部が、前記使用位置において前記使用位置規定手段を収容する後端収容部を含むことを特徴とする請求項５に記載の電子機器用スライド装置。
【発明の詳細な説明】
【技術分野】
【０００１】
本発明は、例えば本体部と副体部とを具備して、副体部を本体部に対してスライド可能とする電子機器用スライド装置であって、特には携帯電話、携帯端末等の機器に適用されて好適なものに関する。
【背景技術】
【０００２】
携帯電話や携帯端末を構成する電子機器として、テンキー又はマイク等を有した本体部と、液晶表示装置又はスピーカを有した副体部と、本体部に対して副体部をスライドさせる電子機器用スライド装置とを具備したものが知られている。
【０００３】
このような電子機器のうち携帯電話においては、本体部に対して電子機器用スライド装置を介して連結された副体部をスライドさせることにより、スピーカをユーザの耳に位置させ、マイクをユーザの口又は顎近傍に位置させることが行われる。また、携帯端末においては非使用時にテンキーを収納し、使用時にテンキーを液晶表示装置の手前に露出させることができる。
【０００４】
この種の電子機器として特許文献１に開示されたものがある。特許文献１に示される電子機器用スライド装置は、副体部に固定されるスライド板を本体部の基板にガイドとレールを有してスライド可能に接続している。また、スライド板は基板にスプリングを介して連結されており、これにより開く方向のスライド前半においてはユーザの操作に対する反力を付与し、スライド後半においては、ユーザの操作に対する補助力を付与している。
【０００５】
ところが、このような構成の電子機器用スライド装置においては、全体形状が特には横長の長方形を底面とした直方体状であって、スライド方向が縦方向である場合に、副体部を本体に縦方向にスライドさせる場合、以下のような問題が生じる。
【０００６】
副体部を本体部に対してスライドさせて伸長させた状態では、副体部と本体部のスライド方向の重なり量はできるだけ小さくして、副体部の開く方向のスライドに伴う本体部の露出面を極力大きくすることが要請される。特に、本体部にテンキーやキーボード等の入力装置が設置される場合には、ユーザの利便性確保の観点から露出面をより大きくする要請がより大きくなる。
【０００７】
ところが、伸長状態においてはユーザの操作時の副体部の安定性やガイドとレールを含むスライドに寄与する部分の堅牢性を確保する必要も生じることから、ガイドとレールの抱え込み量すなわちオーバーラップ量をある程度長くすることが要請され、このことは、副体部と本体部の重なり量をある程度確保することを必須とする事態を招く。
【先行技術文献】
【特許文献】
【０００８】
【特許文献１】特開２００８−１１３０６７号公報
【発明の概要】
【発明が解決しようとする課題】
【０００９】
すなわち、伸長状態における本体部のユーザに指向する露出面の面積を十分に大きく確保することが制限されてしまう。つまり伸長状態において、本体部の露出面積を所望される面積に確保してユーザの利便性を確保することと、副体部の安定性を確保して操作性を確保することの双方を両立させて商品性を高めることが必ずしも容易でないという問題が生じる。
【００１０】
本発明は、上記問題に鑑み、利便性と操作性を両立させて商品性を高めることができる電子機器用スライド装置を提供することを目的とする。
【課題を解決するための手段】
【００１１】
上記の問題を解決するため、本発明による電子機器用スライド装置は、
一対の側縁を有する基板と、
前記一対の側縁を前後方向に摺動可能に挟持する一対の挟持部を有して一対の外側縁を前記側縁の幅方向の外側に有する中間板と、
前記一対の外側縁を前記前後方向に摺動可能に挟持する一対の外側挟持部を有する摺動板と、
前記外側縁の前端部から前記幅方向の外側に突出して、前記摺動板の前記中間板に対する中間収納位置を規定する中間収納位置規定部と、
前記外側縁の後端部から前記幅方向の外側に突出して、前記摺動板の前記中間板に対する中間使用位置を規定する中間使用位置規定部と、
前記基板の前部において表裏方向の表方向に突出して、前記中間板の前記基板に対する収納位置を規定する収納位置規定手段と、前記基板の後部において前記表方向に突出して、前記中間板の前記基板に対する使用位置を規定する使用位置規定手段とを含む電子機器用スライド装置であって、
前記基板に固定される本体部と、前記摺動板に固定される副体部を含み、
前記摺動板及び前記中間板の前記本体部から露出する部分を覆い隠す被覆手段を含み、
前記被覆手段は前記基板に設けた前記前後方向に延びる切り欠き部に摺動自在に係合する係合部を含むとともに、前記被覆手段を前記前後方向の前方向に付勢する付加付勢手段を含むことを特徴とする。
【００１２】
なお、前記前後方向から視た場合に、前記幅方向は左右方向を指し、前記表裏方向は上下方向を指す。
【００１３】
前記電子機器用スライド装置においては、前記基板に対して前記摺動板を前記前後方向の後方向に最大限移動させた場合の、前記基板と前記摺動板の前記前後方向の重なり量をできるだけ小さくした上で、前記側縁と前記挟持部との前記前後方向におけるオーバーラップ量、前記外側縁と前記外側挟持部との前記前後方向におけるオーバーラップ量を、ともにできるだけ大きなものに確保することができる。これにより、前記基板に固定される本体部の露出面を大きく確保して、利便性を高めることができる。また、前記側縁と前記外側縁を同一平面上に構成でき、前記中間板を前記表裏方向に薄い形態のものとすることができるので、前記本体部内において前記中間板を移動させるための空間をできるだけ小さいものとすることができる。
【００１４】
加えて、これらのオーバーラップ量の確保と同時に、前記中間収納位置規定部と前記中間使用位置規定部の突出方向を前記幅方向の外側とし、前記収納位置規定手段と前記使用位置決定手段の突出方向を表方向とすることによって、前記基板に対して前記摺動板が前記表裏方向及び前記幅方向を中心として相対回転することに対する構成要素間の干渉部位数を増大させ拘束力を増大させて、相対回転を極力抑制することができる。これにより、前記摺動板に固定される副体部の上述した相対回転が抑制され、操作性を高めることができる。
【発明の効果】
【００１５】
本発明によれば、利便性と操作性を両立させて商品性を高めることができる電子機器用スライド装置を提供することができる。
【図面の簡単な説明】
【００１６】
【図１】本発明に係る電子機器用スライド装置Ｄの主要な構成要素を分解して示す模式図である。
【図２】本発明に係る電子機器用スライド装置Ｄを含む電子機器Ｓの主要な構成要素を分解して示す模式図である。
【図３】本発明に係る電子機器用スライド装置Ｄのストッパ６ａ、３ｂの当接面Ｐ１、Ｐ２の態様を表裏方向に垂直な断面にて示す模式図である。
【図４】本発明に係る電子機器用スライド装置Ｄを組み立てた状態においてスライドプレート５を前方向にスライドさせて閉状態とした態様を斜め表方向から視て示す模式図である。
【図５】本発明に係る電子機器用スライド装置Ｄを組み立てた状態においてスライドプレート５を前方向にスライドさせて閉状態とした態様を斜め表方向から視て示す模式図である。
【図６】本発明に係る電子機器用スライド装置Ｄを含む電子機器Ｓにおいてカバー１３を除去した状態について裏方向から視た態様を示す模式図である。
【図７】本発明に係る電子機器用スライド装置Ｄを含む電子機器Ｓのカバー１３のベースプレート１に対しての係合態様について本体部裏筐体１１ｂを除去して裏方向から視て示す模式図である。
【図８】本発明に係る電子機器用スライド装置Ｄを含む電子機器Ｓの閉状態におけるカバー１３の動作態様について本体部裏筐体１１ｂを除去して裏方向から視て示す模式図である。
【図９】本発明に係る電子機器用スライド装置Ｄを含む電子機器Ｓの開状態におけるカバー１３の動作態様について本体部裏筐体１１ｂを除去して裏方向から視て示す模式図である。
【図１０】本発明に係る電子機器用スライド装置Ｄを含む電子機器Ｓの開状態におけるカバー１３の動作態様を裏方向から視て示す模式図である。
【図１１】本発明に係る電子機器用スライド装置Ｄを含む電子機器Ｓの開閉状態におけるカバー１３の動作態様を右方向から視て示す模式図である。
【発明を実施するための形態】
【００１７】
以下、本発明を実施するための形態について、上述した図１〜図１１の添付図面を参照しながら説明する。本実施例の説明に用いる図１〜図１１中において、Ｆは前後方向の前方向を指し、Ｕは表裏方向の表方向を指し、Ｒは幅方向のうち右方向を指す。
【実施例】
【００１８】
図１に示すように、本実施例の電子機器用スライド装置Ｄは、前後方向に延びる左右一対のレール１ａ（側縁）を幅方向に離隔させて有するベースプレート１（基板）と、左右一対のレール１ａを前後方向に摺動可能にそれぞれ挟持する左右一対のガイド２（挟持部）を有して一対のアウタレール３ａ（外側縁）をレール１ａの幅方向の外側に有するスライドプレート３（中間板）とをまず含む。
【００１９】
ベースプレート１は、金属製の板材をプレス加工及び折り曲げ加工することにより構成され、幅方向の中央近辺に裏方向に凹む凹部１ｂを含み、凹部１ｂよりも幅方向外側に位置する部分が、裏方向に向けて一旦垂直に折り曲げられ、板材の厚み程度裏方向に指向した後さらに裏方向に位置する部分が、幅方向の外側に向けて再度折り曲げられて、レール１ａが形成される。なお、レール１ａは凹部１ｂ近傍よりも前後方向に二倍程度長くかつ前方向に延出するように形成される。
【００２０】
スライドプレート３は、金属製の板材をプレス加工及び折り曲げ加工することにより構成され、幅方向の中央を含む中間に位置する中間部分は、ベースプレート１に対して表方向にオフセットされて平行をなす平面をなしており、中間部分よりも幅方向外側に位置する部分が裏方向に向けて一旦垂直に折り曲げられてガイド２の表裏方向の厚みだけ裏方向に延びる裏方向延伸部を形成し、さらに裏方向側に位置する部分が、中間部分に対して平行をなすように再度折り曲げられて、アウタレール３ａが形成される。
【００２１】
これらの折り曲げにより構成される中間部分と裏方向延伸部によって前後方向に延びる左右一対の隅部が形成されて、この隅部にガイド２が係合止め、インサート成形等の適宜の手段により接合される。なお、隅部及びアウタレール３ａは中間部分よりも前後方向に二倍程度長くかつ後方向に延出するように形成される。ガイド２は、例えば上述したレール１ａに対する滑性を良好とするため、フッ素樹脂等により形成されている。
【００２２】
さらに、電子機器用スライド装置Ｄは、左右一対のアウタレール３ａ（外側縁）を前後方向に摺動可能に挟持する左右一対のガイド４（外側挟持部）を左右一対の把持部５ｂによりそれぞれ把持して有するスライドプレート５（摺動板）と、アウタレール３ａの前端部から幅方向の外側に突出して、スライドプレート５のスライドプレート３に対する前方向の最大変位を規制して中間収納位置を規定するストッパ６ａ（中間収納位置規定部）を含むプレート６を含む。ガイド４は、例えば上述したアウタレール３ａに対する滑性を良好とするため、フッ素樹脂等により形成されている。
【００２３】
スライドプレート５についても、前後方向に対して幅方向の寸法が長い金属製の板材をプレス加工及び折り曲げ加工することにより構成され、幅方向の中央を含む中間に位置する中間平面部分は、スライドプレート３の中間部分に対して表方向にオフセットされて平行をなす平面をなしている。
【００２４】
板材の中間平面部分よりも幅方向外側に位置する部分は裏方向に向けて一旦垂直に折り曲げられて脚部５ａを形成し、さらに幅方向の外側に位置する部分が、中間部分に対して平行をなすように幅方向外側に再度折り曲げられて、さらに裏方向に向けて折り曲げられ、さらに、幅方向内側に指向するように折り曲げられて、把持部５ｂが形成される。
【００２５】
加えて、電子機器用スライド装置Ｄは、アウタレール３ａの後端部から幅方向の外側に突出して、スライドプレート５のスライドプレート３に対する後方向の最大変位を規制して中間使用位置を規定するストッパ３ｂ（中間使用位置規定部）を含む。
【００２６】
また、電子機器用スライド装置Ｄは、ベースプレート１の前部において表裏方向の表方向に突出して、スライドプレート３のベースプレート１の前方向に対する最大変位を規制してベースプレート１に対するスライドプレート３の収納位置を規定するストッパ７（収納位置規定手段）を含む。同様に電子機器用スライド装置Ｄは、ベースプレート１の後部において表方向に突出して、スライドプレート３のベースプレート１に対する後方向に対する最大変位を規制して使用位置を規定するストッパ８（使用位置規定手段）と、を含む。
【００２７】
ストッパ７及びストッパ８については緩衝機能を有するゴム等の弾性部材により構成され、中心部分にはタップにより穴部が形成されており、それぞれの穴部にストッパピン９を挿入してカシメを行うことにより、ストッパ７及びストッパ８はベースプレート１に固定される。
【００２８】
なお、この固定作業は電子機器用スライド装置Ｄを電子機器Ｓに組み込むタイミングで行われて、この作業においてベースプレート１も、本体部１１の本体部裏筐体１１ｂに固定される。また図１中のスライドプレート５の中間平面部分の幅方向の外側端部に設けられた前後左右四箇所の孔部と図示しないピンによるカシメにより、スライドプレート５は副体部１２の副体部表筐体１２ａに固定される。
【００２９】
ここで、図１及び図２中に示す前後方向のうち前方向は使用位置から収納位置に向かう方向であり、電子機器用スライド装置Ｄを含む電子機器Ｓをユーザが使用している場合にはユーザに向かう方向である。
【００３０】
さらに、図１に示すように、ガイド４の前端部は、スライドプレート５のスライドプレート３に対する前述した中間収納位置において、ストッパ６ａ（中間収納位置規定部）を前後方向にオーバーラップさせて格納する切り欠き形状を有する前端格納部４ａを含む。ガイド４が前端格納部４ａを含むことに対応させて、把持部５ｂの前端部も前端格納部４ａと同様の切り欠き形状を有する前端格納部対応部５ｃを有している。
【００３１】
同様に、ガイド４の後端部は、スライドプレート５のスライドプレート３に対する中間使用位置においてストッパ３ｂ（中間使用位置規定部）を前後方向にオーバーラップさせて格納する後端格納部４ｂを含む。ガイド４が後端格納部４ｂを含むことに対応させて、把持部５ｂの後端部も後端格納部４ｂと同様の切り欠き形状を有する後端格納部対応部５ｄを有している。
【００３２】
さらに、図１に示すようにスライドプレート３の幅方向に延在する部分の前端部が、収納位置において正方形柱状のストッパ７を前後方向にオーバーラップさせて収容する正方形状の切り欠き形状を有する前端収容部３ｃを含む。
【００３３】
同様に、図２に示すように、スライドプレート３の幅方向に延在する部分の後端部が、使用位置において正方形柱状のストッパ８を前後方向にオーバーラップさせて収納する隅部形状を有する後端収容部３ｄを含む。
【００３４】
本実施例においては、ストッパ６ａは、アウタレール３ａに対して別部材であるプレート６により構成されている。図２に示したスライドプレート５のガイド４に対して、スライドプレート３のアウタレール３ａを前方向側から挿入した後、プレート６をアウタレール３ａの裏方向の面に例えば溶接等により接合し固定して図１中左側に示すサブアッシーを構成する。
【００３５】
このサブアッシーのガイド２に対して、ベースプレート１のレール１ａを前方向側から挿入することにより、電子機器用スライド装置Ｄが組み立てられる。つまり、プレート６をアウタレール３ａに対して別部材とすることにより、組立作業をより容易なものとしている。
【００３６】
なお、図１中において、スライドプレート５をスライドプレート３に対して前方向に最大変位させた場合の中間収納位置における、ストッパ６ａと前端格納部４ａ及び前端格納部対応部５ｃとの前後方向における当接面Ｐ１は、当接面Ｐ１を含む表裏方向に垂直な断面である図３（ａ）に示すように、ストッパ６ａのプレート６から幅方向に突出する根元のＲ形状を除いて、前後方向に垂直なものとしている。
【００３７】
同様に、スライドプレート５をスライドプレート３に対して後方向に最大変位させた場合の中間使用位置における、ストッパ３ｂと後端格納部４ｂ及び後端格納部対応部５ｄとの前後方向における当接面Ｐ２は、当接面Ｐ２を含む表裏方向に垂直な断面である図３（ｂ）に示すように、ストッパ３ｂのアウタレール３ａから幅方向に突出する根元のＲ形状を除いて、前後方向に垂直なものとしている。なお、図３（ａ）（ｂ）は例示的に前方向から視て左側に位置する当接面の形態のみを示すが、右側についても同様である。
【００３８】
加えて、本実施例の電子機器用スライド装置Ｄにおいては、スライドプレート５の把持部５ｂの前部から幅方向内側に突出する図２に示す突出部５ｅと、ベースプレート１を連結するスプリング１０（付勢手段）を含む。
【００３９】
図２に示すように、本実施例の電子機器用スライド装置Ｄは電子機器Ｓに包含されるものであり、電子機器Ｓは、ベースプレート１に固定される本体部１１と、スライドプレート５に固定される副体部１２を含む。本体部１１は、本体部表筐体１１ａと本体部裏筐体１１ｂとにより構成され、上述したように本体部裏筐体１１ｂがベースプレート１に固定される。
【００４０】
本体部表筐体１１ａと本体部裏筐体１１ｂとにより構成される本体部１１の内部空間は、
スライドプレート３の前後方向の摺動に必要な空間を含む。本体部表筐体１１ａの表方向側の面には、左右一対のスリット１１ａａが形成されており、スライドプレート５の脚部５ａが摺動自在に挿通される。同様に副体部裏筐体１２ｂの裏方向側の面の前部には左右一対のスリット１２ｂａが形成されており、スライドプレート５の脚部５ａが挿通される。
【００４１】
ここで、図４及び図５に示すように、スライドプレート５がベースプレート１から最も離隔する位置まで後方向にスライドした場合には、図６に示されるように、スライドプレート５及びスライドプレート３の後方向に位置する部分が本体部１１から後方向に露出されることとなる。そこで、本実施例においては、図７及び図２に示すように、左右一対のカバー１３を具備している。
【００４２】
図７に示すように、カバー１３は、スライドプレート５とスライドプレート３の本体部１１から後方向に露出する部分を覆い隠す被覆手段を構成する。左右一対のカバー１３は、相互に幅方向中央に関して線対称であって、前方向に開口するほぼ箱形の形態を有しており、ベースプレート１に設けた前後方向に延びるスリット１ｃ（切り欠き部）に摺動自在に係合する突条の係合部１３ａを含む。また、カバー１３は、カバー１３自身を前後方向の前方向に付勢するカバースプリング１４（付加付勢手段）を含む。
【００４３】
また、カバー１３はスライドプレート５の前後方向の後方向への移動時に、スライドプレート５の後方向端、つまり、把持部５ｂに当接される被当接面１３ｂを箱形の後方向側の底面として含み、カバースプリング１４を外包して支持するボックス１３ｃ（外包部分）を、箱形の本体部から前方向及び幅方向の内側に突出させて含む。
【００４４】
カバースプリング１４の前方側端はボックス１３ｃ（外包部分）の前側端面により後方向に拘束され、カバースプリング１４の後方向端は本体部裏筐体１１ｂの後方向側の内壁面により拘束されて、カバースプリング１４はカバー１３を常に前方向に付勢する。
【００４５】
ここで、スリット１ｃの前後方向の前方向端の位置は係合部１３ａの前方向端が当接された場合に、図８に示すようにカバー１３の後端部が本体部１２の後端部と同一平面を構成するように設定されている。つまり、係合部１３ａの前後方向の長さと、スリット１ｃ（切り欠き部）の前後方向の長さ、カバー１３のボックス１３ｃ（外包部分）を除く部分の前後方向長さを一致させる。
【００４６】
つまり、電子機器Ｓの副体部１２が本体部１１に対して後方向にスライドされた場合には、図８に示した状態から図９及び図１０に示すようにスライドプレート５の後方後端によりカバー１３は本体部裏筐体１１ｂの後方向の壁面の開口部から突出され、副体部１２が前方向にスライドされた場合には、カバースプリング１４の付勢力により図８に示すように本体部裏筐体１１ｂ内に再度収納される。
【００４７】
以上述べた本実施例の電子機器用スライド装置Ｄ及び電子機器用スライド装置Ｄを含む電子機器Ｓによれば、以下のような作用効果を得ることができる。すなわち、電子機器用スライド装置Ｄにおいては、ベースプレート１に対してスライドプレート５を前後方向の後方向に最大限移動させた場合において、まず、ベースプレート１とスライドプレート５の前後方向の重なり量を、図１１に示すように、できるだけ小さくすることができる。
【００４８】
これにより、電子機器Ｓにおいて、本体部１１に対して副体部１２を後方向に最大限移動させた場合の、本体部１１の露出される面の面積をより大きなものとして、ユーザの利便性を高めることができる。特に、露出面にテンキーや小型のキーボード等の入力装置を設置する場合に、個々のキーをなるべく大きくし、キー配列の制約もなるべく少なくすることができ、ユーザの高い利便性を確保することができる。
【００４９】
加えて、レール１ａとガイド２との前後方向におけるオーバーラップ量と、アウタレール３ａとガイド４の前後方向におけるオーバーラップ量を、ともにできるだけ大きな数値とすることができる。このことにより、電子機器Ｓにおける本体部１１に対する副体部１２の相対変位と相対回転をできるだけ抑制することができる。
【００５０】
さらに、本実施例においては、レール１ａとアウタレール３ａを同一平面上に構成して、スライドプレート３を表裏方向に薄い形態のものとすることができるので、本体部１１内においてスライドプレート３を移動させるための空間をできるだけ小さいものとすることができる。すなわち、上述したユーザの利便性を高めつつ、電子機器Ｓ全体の小型化を図ることができる。
【００５１】
加えて本実施例においては、レール１ａとガイド２との前後方向におけるオーバーラップ量と、アウタレール３ａとガイド４の前後方向におけるオーバーラップ量の確保と同時に、ストッパ６ａとストッパ３ｂの突出方向を幅方向の外側とし、ストッパ７及びストッパ８の突出方向を表方向として、相互に垂直な関係を具備させることによって、以下の作用効果を得ることができる。
【００５２】
すなわち、本実施例のストッパの構成によれば、副体部１２の操作に伴って、ベースプレート１に対してスライドプレート５が表裏方向又は幅方向を中心として相対回転することが発生した場合に、表裏方向を中心とする相対回転に対してはストッパ７又はストッパ８がスライドプレート３の前端収容部３ｃ又は後端収容部３ｄに当接し、幅方向を中心とする相対回転に対しては、ストッパ６ａ又はストッパ３ｂがガイド４の前端格納部４ａとスライドプレート５の前端格納部対応部５ｃ又は後端格納部４ｂと後端格納部対応部５ｄと当接することを導くことができる。
【００５３】
つまり、ユーザが電子機器Ｓを使用する場合に問題となる方向の相対回転に対して、電子機器Ｓ及び電子機器用スライド装置Ｄが元来有している構成要素の突出方向の組合せを規定することにより、レール１ａとガイド２及びアウタレール３ａとガイド４のみの干渉に加えて、構成要素間の干渉部位数を増大させ拘束力を増大させて、相対回転を極力抑制することができる。これにより、スライドプレート５に固定される副体部１２の上述した相対回転が抑制され、操作性を高めることができる。
【００５４】
また、上述したカバー１３を含むことで、副体部１２を後方向にスライドさせた場合に、電子機器用スライド装置Ｄの内部機構が外部に露出することを防止して、商品性をより高めることができる。加えて、本実施例においてはベースプレート１が裏方向に凹む凹部１ｂを備えているので、本体部１１と副体部１２との電気的接続を行う配線部材の配置及び配策をより容易なものとすることができる。
【００５５】
以上本発明の好ましい実施例について詳細に説明したが、本発明は上述した実施例に制限されることなく、本発明の範囲を逸脱することなく、上述した実施例に種々の変形および置換を加えることができる。
【００５６】
例えば上述した実施例においては、図３（ａ）（ｂ）に示したように、当接面Ｐ１、Ｐ２の前後方向に対しての態様を垂直としたが、図３（ｃ）（ｄ）に示す形態としても良い。つまり、中間収納位置におけるストッパ６ａと前端格納部４ａ及び前端格納部対応部５ｃとの前後方向において左右一対存在する当接面Ｐ１を、当接面Ｐ１を含む表裏方向に垂直な断面である図３（ｃ）に示すように、ストッパ６ａのプレート６から幅方向に突出する根元のＲ形状を除いて、左右一対の当接面Ｐ１相互において幅方向の中央に対して左右対称に前後方向に傾斜させ、当接面Ｐ１の法線が後方向かつ幅方向内側を指向する形態としても良い。
【００５７】
同様に、中間使用位置におけるストッパ３ｂと後端格納部４ｂ及び後端格納部対応部５ｄとの幅方向において一対存在する前後方向における当接面Ｐ２が、当接面Ｐ２を含む表裏方向に垂直な断面である図３（ｄ）に示すように、ストッパ３ｂのアウタレール３ａから幅方向に突出する根元のＲ形状を除いて、左右一対の当接面Ｐ２相互において幅方向の中央に対して左右対称に前後方向に傾斜させ、当接面Ｐ２の法線が後方向かつ幅方向外側を指向する形態としても良い。
【００５８】
この形態の当接面Ｐ１、Ｐ２によれば、左右一対の当接面に作用する力に幅方向の成分を具備させることができるため、特には表裏方向を中心としたモーメントや、幅方向の力が副体部１２に作用した場合における、表裏方向を中心とした副体部１２の本体部１１に対しての回転や、幅方向の相対変位が発生することを極力防止することができる。
【産業上の利用可能性】
【００５９】
本発明によれば、利便性と操作性を両立させて商品性を高めることができる電子機器用スライド装置を提供することができるので、本体部に対してある移動方向に移動可能な副体部を有する各種電子機器に適用して有益なものである。
【符号の説明】
【００６０】
Ｓ      電子機器
Ｄ      電子機器用スライド装置
１      ベースプレート（基板）
１ａ    レール（側縁）
１ｂ    凹部
１ｃ    スリット（切り欠き部）
２      ガイド（挟持部）
３      スライドプレート（中間板）
３ａ    アウタレール（外側縁）
３ｂ    ストッパ（中間使用位置規定部）
３ｃ    前端収容部
３ｄ    後端収容部
４      ガイド（外側挟持部）
４ａ    前端格納部
４ｂ    後端格納部
５      スライドプレート（摺動板）
５ａ    脚部
５ｂ    把持部
５ｄ    前端格納部対応部
５ｄ    後端格納部対応部
５ｅ    突出部
６      プレート（別部材）
６ａ    ストッパ（中間収納位置規定部）
７      ストッパ（収納位置規定手段）
８      ストッパ（使用位置規定手段）
９      ストッパピン
１０      スプリング（付勢手段）
１１      本体部
１１ａ    本体部表筐体
１１ａａ  スリット
１１ｂ    本体部裏筐体
１２      副体部
１２ａ    副体部表筐体
１２ｂ    副体部裏筐体
１２ｂａ  スリット
１３      カバー（被覆手段）
１３ａ    係合部
１３ｂ    被当接部
１３ｃ    ボックス（外包部分）
１４      カバースプリング（付加付勢手段）
【図１】
0005693055.tif 000002
【図２】
0005693055.tif 000003
【図３】
0005693055.tif 000004
【図４】
0005693055.tif 000005
【図５】
0005693055.tif 000006
【図６】
0005693055.tif 000007
【図７】
0005693055.tif 000008
【図８】
0005693055.tif 000009
【図９】
0005693055.tif 000010
【図１０】
0005693055.tif 000011
【図１１】
0005693055.tif 000012